(57)【特許請求の範囲】
【請求項１】
探索物に取付けられたＩＣチップ，点字表示と、視覚障害者が手指に装着する携帯端末機とを備え、ＩＣチップは携帯端末機の非接触式のアクセスによって携帯端末機に対して非接触式で一定時間継続して所在情報を送信するものであり、点字表示は探索物に係る情報を点字によって表示するものであり、携帯端末機は、振動素子を内蔵して最初のＩＣチップからの所在情報の受信によって振動素子の振動を中強度で振動させ、ＩＣチップの送信継続中に手指を旋回させる走査でＩＣチップからの強い強度の所在情報を後に受信した際に振動素子の振動を強強度で振動させ、ＩＣチップの送信継続中に手指を旋回させる走査でＩＣチップからの弱い強度の所在情報を後に受信した際に振動素子の振動を弱強度で振動させることを特徴とする視覚障害者用生活支援システム。
【請求項２】
請求項１記載の視覚障害者用生活支援システムにおいて、点字表示は探索物に係る情報を重要性に対応して区分けして表示していることを特徴とする視覚障害者用生活支援システム。
【発明の詳細な説明】
【技術分野】
【０００１】
本発明は、ＩＣ（Integrated Circuit）チップ（ＩＣタグ）を利用して視覚障害者の日常の生活を支援する視覚障害者用生活支援システムに係る技術分野に属する。
【背景技術】
【０００２】
最近、ＩＣチップの高機能化に伴って、ＩＣチップを利用して視覚障害者への各種の情報の提供して生活を支援することが行われるようになってきている。
【０００３】
従来、ＩＣチップを利用して視覚障害者の生活を支援する技術としては、例えば、特許文献１に記載のものが知られている。
【０００４】
特許文献１には、ＩＣチップに商品の名称，価格，製造メーカ，製造年月日等の商品に文字等で表示される情報のほぼ全てを記憶させておき、この情報を通信手段を介して視覚障害者に伝達するようにした視覚障害者用買物支援システムが記載されている。
【０００５】
特許文献１に係る視覚障害者用買物支援システムは、商品に文字で表示されている情報を視覚で把握することのできない視覚障害者に対して、商品に取付けたＩＣチップに情報を記憶させ通信手段を介して音声等で把握することができるようにして、障害者の買物からなる生活を支援しようとするものである。
【先行技術文献】
【特許文献】
【０００６】
【特許文献１】特開２００５−１５７６６０号公報
【発明の概要】
【発明が解決しようとする課題】
【０００７】
特許文献１に係る視覚障害者用買物支援システムでは、ＩＣチップに記憶された商品に係る大量の情報を視覚障害者が選択して把握することができないため、視覚障害者の買物に時間が掛かってしまってかえって買物が不便になってしまうという問題点がある。また、視覚障害者の買物の支援に特化されているため、視覚障害者の他の日常の生活を支援することができず汎用性が低いという問題点がある。
【０００８】
本発明は、このような問題点を考慮してなされたもので、視覚障害者の日常の生活の全般において利便性の高い視覚障害者用生活支援システムを提供することを課題とする。
【課題を解決するための手段】
【０００９】
前述の課題を解決するため、本発明に係る視覚障害者用生活支援システムは、特許請求の範囲の各請求項に記載の手段を採用する。
【００１０】
即ち、請求項１では、探索物に取付けられたＩＣチップ，点字表示と、視覚障害者が手指に装着する携帯端末機とを備え、ＩＣチップは携帯端末機の非接触式のアクセスによって携帯端末機に対して非接触式で一定時間継続して所在情報を送信するものであり、点字表示は探索物に係る情報を点字によって表示するものであり、携帯端末機は、振動素子を内蔵して最初のＩＣチップからの所在情報の受信によって振動素子の振動を中強度で振動させ、ＩＣチップの送信継続中に手指を旋回させる走査でＩＣチップからの強い強度の所在情報を後に受信した際に振動素子の振動を強強度で振動させ、ＩＣチップの送信継続中に手指を旋回させる走査でＩＣチップからの弱い強度の所在情報を後に受信した際に振動素子の振動を弱強度で振動させることを特徴とする。
【００１１】
この手段では、探索物に取付けられたＩＣチップに一定時間継続して所在情報を送信させ、携帯端末機を走査することで振動の強弱から視覚障害者がＩＣチップの方向を判定して探索物を接触確認し、視覚障害者が探索物に取付けられている点字表示を読むことで、探索物の必要な情報を得ることができる。また、最初に受信したＩＣチップからの所在情報で携帯端末機が基準となる中強度に振動され、その後に受信したＩＣチップからの所在情報の強度を判定して携帯端末機の振動の強弱を決定する。
【００１２】
また、請求項２では、請求項１の視覚障害者用生活支援システムにおいて、点字表示は探索物に係る情報を重要性に対応して区分けして表示していることを特徴とする。
【００１３】
この手段では、重要性に対応して区分けされて表示された点字表示を読むことで、探索物の情報をさらに選択して得ることができる。
【発明の効果】
【００１４】
本発明に係る視覚障害者用生活支援システムは、探索物に取付けられたＩＣチップに一定時間継続して所在情報を送信させ、携帯端末機を走査することで振動の強弱から視覚障害者がＩＣチップの方向を判定して探索物を接触確認し、視覚障害者が探索物に取付けられている点字表示を読むことで、探索物の必要な情報を得ることができ、商品の大量の情報を強制的に押付けられたりすることがなくしかも探索物が商品以外のものであっても差支えないため、視覚障害者の日常の生活の全般において利便性が高い効果がある。
また、最初に受信したＩＣチップからの所在情報で携帯端末機が基準となる中強度に振動され、その後に受信したＩＣチップからの所在情報の強度を判定して携帯端末機の振動の強弱を決定するため、携帯端末機の振動の強弱を簡単な制御で可変することができる効果がある。
【００１５】
さらに、請求項２として、重要性に対応して区分けされて表示された点字表示を読むことで、探索物の情報をさらに選択して得ることができ、探索物の必要な情報を迅速に得ることができるため、視覚障害者の日常の生活の全般においてより利便性が高くなる効果がある。
【図面の簡単な説明】
【００１６】
【図１】本発明に係る視覚障害者用生活支援システムを実施するための形態の概略図である。
【図２】図１の装置構成図である。
【図３】図１の使用例の簡略化した平面図である。
【図４】図１の使用例における装置構成の動作のフローチャートである。
【発明を実施するための形態】
【００１７】
以下、本発明に係る視覚障害者用生活支援システムを実施するための形態を図面に基づいて説明する。
【００１８】
この形態では、視覚障害者の日常の生活の一部である買物を支援するものを示してある。
【００１９】
この形態は、図１，図２に示すように、ＩＣチップ１，点字表示２，携帯端末機３の装置で構成されている。
【００２０】
ＩＣチップ１，点字表示２は、買物の対象の商品である探索物Ｇに取付けられている。携帯端末機３は、視覚障害者Ｍの手指に装着可能な指輪形，ブレスレッド形に形成されている。
【００２１】
ＩＣチップ１は、図２に示すように、アンテナ１１，ＣＰＵ（Central
Processing Unit）１２，メモリ１３を備え、携帯端末機３からの非接触式のアクセス（無線通信）によって、ＣＰＵ１２からの指示でメモリ１３に記憶されている所在情報Ｗをアンテナ１１から無線通信で携帯端末機３に一定時間継続して送信する機能を有している。メモリ１３に記憶されている所在情報Ｗは、単にＩＣチップ１の存在を示すもので差支えない。
【００２２】
点字表示２は、買物の対象の商品である探索物Ｇの商品の名称，価格，製造メーカ，製造年月日等の商品に文字等で表示される情報の全てを点字で表示してある。この点字表示２は、図１に示すように、重要性に対応して区分け２１，２２，２３されて表示されている。
【００２３】
携帯端末機３は、図２に示すように、アンテナ３１，ＣＰＵ３２，メモリ３３，振動素子３４，バッテリ３５を備え、アンテナ３１でＩＣチップ１の所在情報Ｗを受信した際にＣＰＵ３２の指示で振動素子３４を振動させる機能を有している。さらに、メモリ３３には振動素子３４を複数の段階（例えば、３段階）の強弱で振動させるプログラムが記憶されている。ＣＰＵ３２は、一定時間継続して送信されているＩＣチップ１の所在情報Ｗの先後の強弱（受信電波の）を判定することができ、判定した強弱に基づいてメモリ３３に記憶されている振動素子３４の振動の強弱の段階を選択するように設定されている。例えば、最初のＩＣチップ１からの所在情報Ｗの受信によって振動素子３４の振動を中強度で振動させ、ＩＣチップ１の送信継続中にＩＣチップ１からの強い強度の所在情報Ｗを後に受信した際に振動素子３４の振動を強強度で振動させ、ＩＣチップ１の送信継続中にＩＣチップ１からの弱い強度の所在情報Ｗを後に受信した際に振動素子３４の振動を弱強度で振動させる。なお、図３に示すように、視覚障害者Ｍが手指を旋回させるように走査することで、ＩＣチップ１からの所在情報Ｗの受信に強弱が発生する。
【００２４】
この形態によると、図３に示すように、探索物Ｇに取付けられたＩＣチップ１に一定時間継続して所在情報Ｗを送信させ、携帯端末機３を複数回走査することで振動の強弱から視覚障害者ＭがＩＣチップ１の方向を判定することができる。そこで、視覚障害者Ｍは、判定した方向にある探索物Ｇに接近し手を伸ばして接触確認し、探索物Ｇに取付けられている点字表示２を手の接触で読むことができる。この結果、探索物Ｇの必要な情報を得ることができる。従って、特許文献１に係る視覚障害者用買物支援システムのように商品の大量の情報を強制的に押付けられたりしてすることがなく、視覚障害者の買物に時間が掛かってしまってかえって買物が不便になってしまうということがなくなる。しかも、点字表示２が重要性に対応して区分け２１，２２，２３がなされているため、必要な情報を迅速に得ることができる。
【００２５】
以上、図示した形態の外に、探索物Ｇを商品以外のものに設定することもできる。
【００２６】
例えば、探索物Ｇをトイレの洗浄水操作レバーやトイレットペーパホルダに設定し、点字表示２として操作方法，操作方向等を点字で表示することができる。また、大型店舗において探索物Ｇを各売場に設定し、点字表示２として売場名やその売場の特売品等を点字で表示することができる。
【００２７】
従って、買物顔以外にも視覚障害者の日常の生活の全般において利便性が高いものとなる。
【産業上の利用可能性】
【００２８】
本発明に係る視覚障害者用生活支援システムは、ＩＣチップにさらなる情報を記憶させて送信させる高機能化を妨げるものではない。
【符号の説明】
【００２９】
１                ＩＣチップ
２                点字表示
２１，２２，２３  区分け
３                携帯端末機
３４              振動素子
Ｇ                探索物
Ｍ                視覚障害者
【図１】
0005498449.tif 000002
【図２】
0005498449.tif 000003
【図３】
0005498449.tif 000004
【図４】
0005498449.tif 000005